(57)【要約】【課題】添架物の設置作業や補修・点検作業にかかる負担を軽減できる検査路を提供すること。【解決手段】床部２と、床部２の両側面に設けられた手摺り部３，３とを備え、橋梁１１の横桁１４間に架設される検査路１において、添架物６を支持する添架物支持部５が、床部２に設けられているので、検査路１を設置する際に添架物６を設置でき、添架物６の設置作業にかかる負担を軽減できると共に、作業者が検査路１を歩きながら添架物６を補修・点検することができ、添架物６の補修・点検作業にかかる負担を軽減できる。【選択図】図１
2017115410.tif 000002
【特許請求の範囲】
【請求項１】
床部と、前記床部の少なくとも一側面に設けられた手摺り部とを備え、橋梁の横桁間に架設される検査路において、
添架物を支持する添架物支持部が、床部に設けられていること、
を特徴とする検査路。
【請求項２】
請求項１に記載する検査路において、
前記添架物支持部が、前記横桁より上側に、前記添架物を支持する支持面を設けられていること
を特徴とする検査路。
【発明の詳細な説明】
【技術分野】
【０００１】
本発明は、橋梁の横桁間に架設される検査路に関する。
【背景技術】
【０００２】
橋梁には、床版の下側に、橋軸に沿って、ガス管や水道管等の添架物や、作業者が桁下や添架物の補修・点検を行う際に歩行する検査路が、敷設されることがある。従来、添架物は、検査路の外側に設置されていた（例えば特許文献１、特許文献２、特許文献３等参照）。
【先行技術文献】
【特許文献】
【０００３】
【特許文献１】特開２０１５−３４３９４号公報
【特許文献２】特開２０１０−１６３７８９号公報
【特許文献３】特開２０００−７３３１５号公報
【発明の概要】
【発明が解決しようとする課題】
【０００４】
しかしながら、従来の検査路は、添架物と間隔を空けて配置されていた。そのため、検査路と添架物は、別々の支持部材を用いて橋梁に取り付けられており、設置作業に手間がかかっていた。また、作業者は、添架物を補修・点検する際に、足場を組んだり、高所作業車を使用する必要があり、補修・点検作業が繁雑だった。
【０００５】
本発明は、上記問題点を解決するためになされたものであり、添架物の設置作業や補修・点検作業にかかる負担を軽減できる検査路を提供することを目的とする。
【課題を解決するための手段】
【０００６】
本発明の一態様は、次のような構成を有している。
（１）床部と、前記床部の少なくとも一側面に設けられた手摺り部とを備え、橋梁の横桁間に架設される検査路において、添架物を支持する添架物支持部が、床部に設けられていること、を特徴とする。
【０００７】
上記構成では、検査路の床部に設けられた添架物支持部に添架物が設置されるので、検査路を設置する際に、添架物も検査路と一体的に設置できる。また、作業者が、添架物を補修・点検する際に、足場や高所作業車を使用する必要がないので、添架物の補修・点検作業を容易に行える。
【０００８】
（２）（１）に記載の構成において、前記添架物支持部が、前記横桁より上側に、前記添架物を支持する支持面を設けられていることが好ましい。
【０００９】
上記構成では、添架物支持部が、横桁より上側に、添架物を支持する支持面を備えるので、横桁に遮られることなく添架物を橋軸に沿って敷設できる。よって、上記構成によれば、添架物を橋梁に設置しやすい。
【発明の効果】
【００１０】
従って、本発明によれば、添架物の設置作業や補修・点検作業にかかる負担を軽減できる検査路を提供することができる。
【図面の簡単な説明】
【００１１】
【図１】検査路を備える橋梁の断面図である。
【図２】検査路の縦断面図である。
【図３】添架物支持部の一部を上方から見た図である。
【図４】図３に示す添架物支持部のＡＡ断面図であって、検査路に取り付けられた状態を示す。
【図５】図３に示す添架物支持部のＢＢ断面図であって、検査路に取り付けられた状態を示す。
【図６】検査路を横桁に固定する固定構造を示す図である。
【発明を実施するための形態】
【００１２】
以下に、本発明に係る検査路の実施形態について図面に基づいて説明する。図１に、図２に示す検査路１を備える橋梁１１の断面図を示す。図２に、検査路１の縦断面図を示す。図３に、添架物支持部５の一部を上方から見た図を示す。図４に、図３に示す添架物支持部５のＡＡ断面図を示す。図５に、図３に示す添架物支持部５のＢＢ断面図を示す。図６に、検査路１を横桁１４に固定する固定構造を示す。尚、図４及び図５は、検査路との関係を説明するために、添架物支持部５を検査路１に取り付けた状態で記載している 。
【００１３】
図１に示すように、橋梁１１は、床版１２が車両等から荷重を受ける。橋梁１１は、一対の主桁１３が橋軸方向に沿って配置され、床版１２を支えている。一対の主桁１３の間には、横桁１４が架設され、主桁１３が床版１２から受ける荷重を分散させている。検査路１は、床版１２の下方に配置されている。検査路１は、横桁１４の間に橋軸方向に沿って架設されている。検査路１は、ガス管や水道管等の添架物６が内設されている。
【００１４】
図２に示すように、検査路１は、床部２と、床部２の両側面に設けられた手摺り部３，３とを有する。検査路１は、添架物６を支持する添架物支持部５が床部２に設けられている。
【００１５】
図２に示すように、床部２は、床材２Ａの幅方向両端部に、断面コの字形の補強材２Ｂ，２Ｂが溶接されている。結合板２Ｄは、床部２と手摺り部３とを結合するように、補強材２Ｂの外側面に溶接されている。図５に示すように、結合板２Ｄは、床材２Ａから上方に突き出すように配置され、その突き出した部分に物止め板２Ｅがボルトで固定されている。図６に示すように、補強材２Ｂ，２Ｂは、床材２Ａの全長にわたって配置されている。補強材２Ｂ，２Ｂの長手方向両端部には、補強板２Ｃが溶接されている。
【００１６】
図２に示すように、手摺り部３は、支柱３Ａが結合板２Ｄに溶接され、床材２Ａに垂設されている。支柱３Ａは、床部２の長手方向に所定の間隔を空けて配設されている。これらの支柱３Ａには、上端手摺り部材３Ｂと中間手摺り部材３Ｃと下端手摺り部材３Ｄが取付具３Ｅ，３Ｆ，３Ｇを介して取り付けられている。
【００１７】
図２に示すように、添架物支持部５は、Ｌ字形をなし、一端が図中左側に位置する手摺り部３に固定され、他端が床部２に固定される。添架物支持部５は、支柱３Ａに対応する位置に配置され、支持面５９Ａに添架物６を載置される。添架物支持部５は、床部２に立設される柱部材５１と、支柱３Ａと柱部材５１との間に水平に設置される梁部材５８と、梁部材５８に固定されて、支持面５９Ａを形成する支持面形成部材５９とを備える。
【００１８】
図３及び図４に示すように、柱部材５１は、第１面５１Ａと第２面５１Ｂと直角に設けたＬ形鋼板である。図２及び図４に示すように、床部２には、取付部材５２が床材２Ａの上面に垂設されている。取付部材５２は、台形形状の取付板５２Ｂに、直角三角形状の固定板５２Ａを垂直に固定したものであり、固定板５２Ａと取付板５２Ｂが床材２Ａに溶接されている。図４に示すように、柱部材５１は、第１面５１Ａが取付板５２Ｂに当接され、ボルト５４とナット（図示せず）で取付部材５２に固定される。
【００１９】
図４に示すように、梁部材５８は、水平板５８Ａに垂直板５８Ｂを溶接したＴ字形状をなす。図２及び図４に示すように、梁部材５８は、垂直板５８Ｂの一端が柱部材５１の第２面５１Ｂにボルト５５とナット６１で固定される。また、図２及び図５に示すように、梁部材５８は、垂直板５８Ｂの他端が支柱３Ａに溶接された取付支持板５６に、ボルト５７とナット６２で固定される。
【００２０】
図２及び図５に示すように、支持面形成部材５９は、平板形状をなし、梁部材５８の水平板５８Ａにボルト６０とナット６３で固定されて支持面５９Ａを形成している。支持面形成部材５９は、両端部に屈曲部５９Ｂ，５９Ｂが設けられ、床部２を歩行する作業者が添架物支持部５にぶつかった際の衝撃を緩和している。支持面形成部材５９は、梁部材５８の垂直板５８Ｂの両側に配置され、支持面５９Ａの面積を広げて添架物６を安定して支持できるようにしている。
【００２１】
図６に示すように、検査路１は、横桁１４に固定される。横桁１４は、上フランジ１４Ａと下フランジ１４Ｂを腹板１４Ｃで結合したＩ字形をなす。下フランジ１４Ｂには、連結部材１５が吊り下げられるようにして溶接されている。連結部材１５は、一対の張り出し部１５Ａ，１５Ａが側方に張り出すように設けられている。検査路１は、床部２の補強材２Ｂが張り出し部１５Ａに載置された状態で溶接される。よって、検査路１は、両端部が連結部材１５を介して横桁１４に支えられた状態で、横桁１４の間に架設される。
【００２２】
図１に示すように、検査路１は、添架物支持部５の支持面５９Ａが、横桁１４の上フランジ１４Ａより上側に設けられている。そのため、添架物６は、横桁１４と床版１２との間に形成される空間に配置されている。
【００２３】
次に、検査路１の設置方法を説明する。まず、床部２に手摺り部３を取り付け、検査路１を組み立てる。この組み立て方法は周知であるので、説明を省略する。その後、図２に示すように、添架物支持部５を床部２に設置する。添架物支持部５の取付支持板５６は、手摺り３の支柱３Ａに溶接する（図２、図４参照）。そして、その支柱３Ａの側方に位置する床材２Ａに、取付部材５２を溶接する。その後、取付部材５２に柱部材５１をボルト５４とナット（図示せず）で固定し（図４参照）、梁部材５８を取付支持板５６と柱部材５１にボルト５５，５７とナット６１，６２で固定する（図４、図５参照）。それから、支持面形成部材５９を梁部材５８に載せ、ボルト６０とナット６３で固定する（図３、図５参照）。その後、組み立てた検査路１をクレーン等でつり上げ、横桁１４に固定した連結部材１５に補強材２Ｂを当接させる（図６参照）。そして、連結部材１５と補強材２Ｂとを溶接し、検査路１を横桁１４に固定する。添架物支持部５は、Ｌ字形鋼板の柱部材５１やＴ字形鋼板の梁部材５８やコの字形の支持面形成部材５９を組み立てることで強度を確保しつつ、軽量にされている。そのため、検査路１は、添架物支持部５を内設しても、重量増加が抑制され、設置しやすい。
【００２４】
添架物支持部５は、支持面５９Ａが横桁１４の上フランジ１４Ａより上側に位置している。そのため、添架物６は、床版１２と横桁１４との間の空間を利用して橋軸方向に設置されるので、作業者は添架物６を設置し易い。また、作業者は、検査路１を設置する際に、検査路１を歩きながら添架物６を添架物支持部５に設置できるので、検査路１の外側に添架物６を設置する場合と比べ、添架物６の設置作業にかかる負担を軽減できる。
【００２５】
次に、添架物６の点検方法を説明する。添架物６は、床部２に設置された添架物支持部５に設置されている。そのため、作業者は、足場や高所作業車を使用しなくても、検査路１の床部２を歩きながら、検査路１内の添架物６を補修・点検できる。
【００２６】
以上説明したように、本実施形態の検査路１は、床部２と、床部２の両側面に設けられた手摺り部３，３とを備え、橋梁１１の横桁１４間に架設される検査路１において、添架物６を支持する添架物支持部５が、床部２に設けられているので、検査路１を設置する際に、添架物６も検査路１と一体的に設置できる。また、作業者が、添架物６を補修・点検する際に、足場や高所作業車を使用する必要がないので、添架物６の補修・点検作業を容易に行える。
【００２７】
また、本実施形態の検査路１は、添架物支持部５が、横桁１４より上側に、添架物６を支持する支持面５９Ａを設けられているので、横桁１４に遮られることなく添架物６を橋軸に沿って敷設できる。よって、上記構成によれば、添架物６を橋梁１１に設置しやすい。
【００２８】
従って、本実施形態によれば、添架物６の設置作業や補修・点検作業にかかる負担を軽減できる検査路１を提供することができる。
【００２９】
尚、本発明は、上記実施形態に限定されることなく、色々な応用が可能である。
例えば、添架物支持部５を箱形状にしても良い。
例えば、柱部材５１と梁部材５８と支持面形成部材５９とを溶接しても良い。
例えば、検査路１を主桁１３に沿って設ける場合には、床部２の主桁１３と反対側に位置する側面だけに手摺り部３を設けても良い。添架物支持部５は、上記実施形態と同様にして手摺り部３側に設けても良いし、床部２の手摺り部３と反対側に設けても良い。後者の場合、添架物支持部５は、例えば、床部２の手摺り部３と反対側に位置する側面に取り付け専用の支柱を溶接やボルト接合等により固定し、その取り付け専用の支柱に梁部材５８を固定すれば良い。また、梁部材５８を取り付けるための専用金具を主桁１３に固定しても良い。
【符号の説明】
【００３０】
１  検査路
２  床部
３  手摺り部
５  添架物支持部
６  添架物
１１  橋梁
１４  横桁
【図１】
2017115410.tif 000003
【図２】
2017115410.tif 000004
【図３】
2017115410.tif 000005
【図４】
2017115410.tif 000006
【図５】
2017115410.tif 000007
【図６】
2017115410.tif 000008